(57)【要約】【課題】帯状に形成されたバンド本体にハーフカット処理で型抜きされ、バンド本体から切り離して使用されるリストバンドをバンド本体から切り離す際に、素早くリストバンドを切り離すことを実現することである。【解決手段】リストバンドは、帯状に形成されたバンド本体にハーフカット処理で型抜きされ、バンド本体からハーフカット処理された型抜き部分に沿って切り離して使用されるリストバンドであって、バンド本体のリストバンド端部の型抜き部分付近に、型抜き開始穴が形成されている。【選択図】図１
2010018905.tif 000002
【特許請求の範囲】
【請求項１】
帯状に形成されたバンド本体にハーフカット処理で型抜きされ、該バンド本体からハーフカット処理された型抜き部分に沿って切り離して使用されるリストバンドにおいて、
前記バンド本体のリストバンド端部の型抜き部分付近に、型抜き開始穴が形成されている
ことを特徴とするリストバンド。
【請求項２】
請求項１記載のリストバンドであって、
前記型抜き開始穴は、印字進行方向上、前記バンド本体が有するセンサ用穴の軌跡と重ならない位置に形成されている
ことを特徴とするリストバンド。
【請求項３】
請求項１または2記載のリストバンドであって、
前記バンド本体は、長手方向に沿って連続して形成されている
ことを特徴とするリストバンド。
【請求項４】
帯状に形成されたバンド本体であって、ハーフカット処理された型抜き部分に沿って切り離して使用されるリストバンドを有する前記バンド本体に印刷を行う印字装置において、
前記バンド本体に形成され、型抜き開始穴とは、印字進行方向上、軌跡が重ならない位置にあるセンサ用穴を検出し、該バンド本体に印刷を行う
ことを特徴とする印字装置。
【発明の詳細な説明】
【技術分野】
【０００１】
本発明は、リストバンドとその印字装置に係り、特に、病院で患者の手首や足首などに巻き付けて使用されるリストバンドとその印字装置に関するものである。
【背景技術】
【０００２】
最近、病院において、患者の名前、年齢、血液型といった患者固有の識別データを表示したリストバンドを患者の手首や足首に取り付け、患者を間違えないようにすることが行われている。
【０００３】
このリストバンドは、プリンタによって連続的に発行することができるようにするため、連続的に形成されており、この連続体をロール状にして、プリンタにセットするようにしている。
【０００４】
このように、プリンタを用いて、発行するリストバンドは、プリンタへの適合性を考慮して一定幅の帯状に形成されていることが多く、特殊形状のリストバンドの場合は、プリンタでの印字後に所定の形状に切り抜いて使用するようにしていた。
【０００５】
しかしながら、リストバンドをひとつ一つ発行するために、プリンタ側に、帯状のリストバンドから使用時のリストバンド形状を切り抜くカッターを備えなければならず、コスト高になるという欠点があった。そこで、特許文献１では、以下の解決策が開示されている。
【０００６】
特許文献１に記載された発明は、帯状に形成されたバンド本体にミシン目で型抜きされ、バンド本体からミシン目に沿って切り離して使用されるリストバンドにおいて、リストバンドの両端部の少なくとも一方がバンド本体に貫通して型抜きされていることが特徴である。したがって、リストバンドをバンド本体から切り離す際は、この貫通して型抜きされたリストバンドの端部を引っ張り上げるだけで、簡単にリストバンドをミシン目に沿ってバンド本体から切り離すことができる。
【０００７】
【特許文献１】特開２００２−３６３８０８号公報
【発明の開示】
【発明が解決しようとする課題】
【０００８】
ところが、特許文献１に記載された発明では、リストバンドの両端部の少なくとも一方に設けられたバンド本体を貫通した型抜き部分がわかりずらいため、医療現場において緊急性を要する場面で、リストバンドをバンド本体から切り離す際に時間がかかってしまい、迅速な医療処理を施すことができないという課題があった。
【０００９】
そこで、本願発明は、リストバンドをバンド本体から切り離す際に、素早くリストバンドをバンド本体から切り離すことができる構造を提供することを目的とする。
【課題を解決するための手段】
【００１０】
本願発明のリストバンドは、帯状に形成されたバンド本体にハーフカット処理で型抜きされ、バンド本体からハーフカット処理された型抜き部分に沿って切り離して使用されるリストバンドであって、バンド本体のリストバンド端部の型抜き部分付近に、型抜き開始穴が形成されていることを特徴とする。
【発明の効果】
【００１１】
本願発明によれば、リストバンドをバンド本体から切り離す際に、型抜き開始穴がひと目でわかるので、素早くリストバンドをバンド本体から切り離すことができるという効果を奏する。
また、従来リストバンドの両端部の少なくとも一方がバンド本体に貫通して型抜きされている部分が、印字搬送時に引っ掛かる場合があったが、本願発明では、バンド本体に引っ掛かる部分がほとんどないため、搬送時の不具合を低減できるという効果を奏する。
【発明を実施するための最良の形態】
【００１２】
本発明を実施するための最良の形態について図面を用いて説明する。図１に、本発明の一実施形態であるリストバンドの平面図を示す。同図に示すように、リストバンド１０は、帯状に形成されたバンド本体１２に、ハーフカット処理された型抜き部１４で形成されており、プリンタで所望の情報を表面に印字した後、バンド本体１２から抜き取って使用する。
【００１３】
バンド本体１２は、長手方向に沿って連続的に形成されており、隣り合うバンド本体同士の境界部分にミシン目１６が形成されている。バンド本体１２は連続的に形成されているが、このミシン目１６を利用することにより、カッター等を用いなくても、手で簡単に切り離すことができる。
【００１４】
上述したようにリストバンド１０は、バンド本体１２に型抜き部１４で形成されている。図１のリストバンド１０では、幅広に形成された表示部１０Ａと、その両側に延びるバンド部１０Ｂ、１０Ｃとで構成されている。また、図２では、その他の実施形態として、表示部１０Ａとその両側に延びるバンド部１０Ｂ、１０Ｃとの幅が同じものを示してある。
【００１５】
バンド部１０Ｂ、１０Ｃには、リストバンドを手首等に、不図示のクリップ（止め具）で、係止するためのセット穴１８およびバンド穴２０が形成されている。
【００１６】
セット穴１８Ａ、１８Ｂは、図１において左側のバンド部１０Ｂに２つ形成されている。このセット穴１８Ａ、１８Ｂは、円形に形成されており、バンド部１０Ｂを貫通している貫通穴である。なお、図では、セット穴の中心位置のみを示してある。
一方、バンド穴２０は、図１において右側のバンド部１０Ｃに１８つ一定の間隔をもって形成されている。このバンド穴２０は、前述のセット穴１８と同様に貫通穴である。なお、図では、バンド穴の中心位置のみを示してある。
また、リストバンド１０は、バンド本体１２に、ハーフカット処理された型抜き部１４で形成されているが、その一端１４Ｂに、型抜き開始穴２２が形成されている。これにより、リストバンド１０をバンド本体１２から抜き取る際、この型抜き開始穴２２に指などを入れ、ハーフカット処理された型抜き部１４が切り裂かれていくことで、簡単にリストバンド１０をバンド本体１２から抜き取ることができる。なお、図１の型抜き開始穴２２の形状は、矩形であるが、必ず矩形である必要はなく、三角形や半楕円であっても良い。
また、図３に示すように、型抜き開始穴２２は、バンド本体１２を検出するためのセンサ用穴２４の位置に対して、印字進行方向上、ずれた位置になるように形成されている。これは、プリンタ側に装備されたバンド本体を検出するセンサが、センサ用穴２４のみを検出するようにするためである。センサ用穴を検出する方式は、他の方式、例えば、バンド本体の裏面にある印を印刷し、それを検出する方式に比べて、確実に、バンド本体を検出できる方式である。
また、隣り合うバンド本体１２同士の境界部分に、ミシン目１６が形成されているので、プリンタで別途切断することなく、容易にバンド本体１２を後続するバンド本体１２の連続体から切り離すことができる。
【００１７】
また、本実施の形態では、リストバンド１０を病院で使用する例を説明したが、本発明に係るリストバンドの適用は、これに限定されるものではなく、アミューズメント施設やフィットネスクラブ等の分野においても使用することができる。
【図面の簡単な説明】
【００１８】
【図１】本発明に係るリストバンドの実施形態の構成を示す平面図。
【図２】本発明に係るリストバンドのその他の実施形態の構成を示す平面図。
【図３】型抜き開始穴とセンサ用穴との位置関係を示す平面図。
【符号の説明】
【００１９】
１０  リストバンド
１０Ａ  表示部
１０Ｂ  バンド部
１０Ｃ  バンド部
１２  バンド本体
１４  型抜き部
１６  ミシン目
１８Ａ  セット穴
１８Ｂ  セット穴
２０  バンド穴
２２  型抜き開始穴
２４  センサ用穴
【図１】
2010018905.tif 000003
【図２】
2010018905.tif 000004
【図３】
2010018905.tif 000005